【手続補正書】
【提出日】平成17年11月28日(2005.11.28)
【手続補正１】
【補正対象書類名】明細書
【補正対象項目名】００１１
【補正方法】変更
【補正の内容】
【００１１】
上記の物品投入装置においては、先ず、ホッパー先端部を袋口より若干下方に垂下させ、袋口開封手段の操作により、粘着部材を柔軟な袋口縁近傍に貼着し引っ張る。すると、袋口縁が粘着部材に貼着されて引っ張られ、袋口縁部がホッパーの下端部に当接し、袋口縁及びホッパー下端部は共に柔軟性を有しているので、これらが共に所定の方向へ変形屈曲して、袋口縁がホッパー下端部を摺接しながら潜り抜ける。袋口縁がホッパーの下端部を潜り抜けると、ホッパー下端部は、自身の復元力により元の垂下状態に戻り、ホッパー下端部が包装袋の袋口内へ移動する。次いで、ホッパーから被包装物を投入すると、この被包装物がホッパー先端部を拡開させるので包装袋内へ被包装物が投入される。
この装置によると、薄く且つ柔軟な袋口を簡単に開封できると共に、構造複雑なホッパーを使用することなく、長尺被包装物を簡単に包装袋へ投入することが可能になる。
【手続補正２】
【補正対象書類名】明細書
【補正対象項目名】００１２
【補正方法】変更
【補正の内容】
【００１２】
また、誘導具は、所定長さの筒状網体を使用し、この筒状網体の一端を拡開してリング枠に固定するだけでホッパーが形成できるので、ホッパーの構造が極めて簡単で、しかも特殊な部材を使用することなく、市販の製品を加工するだけで製作できる。
更に、袋口開封手段の貼着には、着脱可能な粘着部材を用い、この粘着部材を包装袋と平行な支軸を中心に回動可能な回転体に設ける。すると、袋口開封手段は薄く且つ柔軟な袋口に着脱自在に貼着するので、袋口の開封及び包装袋の離脱が簡単になる。また、回転体の回動により粘着部材の貼着する場所が移動し、同じ箇所での貼着が少なくなるので、粘着部材を長持ちさせることが可能となる。また包装袋を引っ張ると粘着部材が回転するので、包装袋口の離脱が容易になる。
したがって、この物品投入装置によると、ホッパーが比較的短く簡単な構造のものでも、長尺被包装物でも比較的短いものでも簡単確実に包装袋へ投入できる。
【手続補正３】
【補正対象書類名】明細書
【補正対象項目名】００１７
【補正方法】変更
【補正の内容】
【００１７】
このような筒状網体２３'を用い、その一端２３ａを外方向へ拡開し、この拡開した円形状の端部縁を適宜の固着手段、例えば糸、細金等によりリング枠２１の周囲に固定する。すると、この筒状網体２３'は、図１に示すようにリング枠２１に固定した部分からホッパーの下端部２３ｂに向けて徐々に先細な漏斗状をなして垂下される。垂下したホッパーの下端部２３ｂは、支持枠体１３に吊下される包装袋４０の袋口４３より若干下方に垂下するように位置調整する。この位置調整は、ホッパー２３の長さ又は包装袋を垂下する支持バー１４の取付け位置等を変更して行うが、垂下の長さＬ（図２、３参照）、すなわち袋口４３からホッパー下端部２３b間までの長さは、概ね５ｃｍ前後に設定する。この長さＬは、筒状網体２３'の弾性力或いは包装袋４０の種類にもよっても異なり、これらの特性及び種類に応じて適宜の長さに選定する。
なお、ホッパーを筒状網体で形成したが、これに限定されず、先端部が先細で径方向へ伸縮自在で且つ柔軟性を有するものであれば、その構成又は材料は任意のもの、例えば合成樹脂又は布等で形成したものを使用できる。
【手続補正４】
【補正対象書類名】明細書
【補正対象項目名】００１８
【補正方法】変更
【補正の内容】
【００１８】
また、袋口開封手段３０は、ほぼ中央部が円弧状に屈曲し弾性を有するバネ体３１と、このバネ体の基端３１ａに取付けた支持体３２と、先端部３１bに設けた貼着手段３３とからなる。バネ体３１は、金属或いは合成樹脂材で作られる。また貼着手段３３は、包装袋の表面生地に着脱自在に貼着して袋口を開封するものである。
この貼着手段３３は、バネ体３１の先端部３１bに固定されたロール支持体３４と、この支持体３４に回動可能に軸支される回転体（ロール）３５と、このロール３５の外周に巻き付けた粘着部材３６と、この粘着部材３６が露出した面と反対方向でロール支持体３４に取付けた把手３７からなる。
粘着部材３６には、包装袋の表面生地に貼着し、簡単に剥離できる接着材、例えばPVA（ポリビニルアルコール）を使用する。PVAを使用すると、長時間使用により粘着力が徐々に低下するが、水洗いすることにより粘着力を回復させることができる。
【手続補正５】
【補正対象書類名】明細書
【補正対象項目名】００２０
【補正方法】変更
【補正の内容】
【００２０】
この包装袋４０は、表面生地体４１と裏面生地体４２とを重ね合わせた状態で両生地体４１、４２の両側部及び底部を熱シールや接着剤等により閉着し、表面生地体４１は底部と反対の一端部４１aを開放することによって、この部分に開口部（袋口）４３を設けた細長封筒状に形成する。
また、裏面生地体４２は、上端を所定長さのところで折返して裏面生地体４２の端部側上面に接合し、この折返し面に、支持バー１４へ挿入し包装袋４０を吊下するための複数の開孔４４を形成する。また各開孔４４から折返し端に向けてミシン目４５を設け、包装袋４０を支持枠体１３の支持バー１４（図１参照）に吊下し、この状態から包装袋４０を引っ張った際に、包装袋４０はこのミシン目４５から破断され、包装袋４０の引離しを容易に行うことができる。
【手続補正６】
【補正対象書類名】明細書
【補正対象項目名】００２１
【補正方法】変更
【補正の内容】
【００２１】
図６（b）に示した包装袋４０'は、上記包装袋４０の袋口４３の両端部、すなわち表面生地体４１'と裏面生地体４２'とを重合した両側に、所定大きさの切込み４６'を形成したものである。したがって、その他の構成、材料等は同じであるので、同一構成の部分には同一符号を用いこの符号にダッシュを付してその説明を省略する。
この切込み４６'は、表面生地体４１'及び裏面生地体４２'のうち、表面生地体４１'に形成する。勿論、両生地体に設けてもよい。この切込み形状は、任意の形状、例えば、円弧状、半円形状、三日月形状、角型形状でもよく、単に両側端面を溶着しない状態のものでもよい。これらの形状は、包装袋を構成する材料、厚み等を考慮して任意のものが選択される。
この切込み４６'を設けることにより、袋口４３'の開口時に、表面生地体４１'を裏面生地体４２'から容易に剥がし易くなるので、前記長さＬの調整がより簡単になるとともに袋口４３'の開口が極めて容易になる。
【手続補正７】
【補正対象書類名】明細書
【補正対象項目名】００２２
【補正方法】変更
【補正の内容】
【００２２】
次に、物品投入装置１０及び包装袋４０を使用し、包装袋への被包装物の袋詰めを説明する。図３は図１の物品投入装置の側面図、図５は図３の側面図をもとに包装袋へ長尺野菜等の袋詰め作業を説明する説明図である。
図３に示すように、支持枠体２３の支持バー１４に複数枚の包装袋４０を筒状網体の下端部２３ｂがその袋口４３より長さＬだけ下方へ延びるように吊下する。
この包装袋の吊下状態において、図５（a）に示すように袋口開封手段３０の把手３７に手指を入れバネ体３１を矢印Ａに示す時計回りに回動して、支持枠体１３に吊下されている一枚目の包装袋４０の表面生地体４１に（図６（a）参照）貼着手段３３を押し当て、粘着部材３６を表面生地体４１の上縁部４１aに貼着させる。
【手続補正８】
【補正対象書類名】明細書
【補正対象項目名】００２４
【補正方法】変更
【補正の内容】
【００２４】
ホッパー２３の下端部２３bが包装袋４１の袋口４３へ挿入された後に、複数本のアスパラ４６をほぼ同時にリング２０の誘導口へ投入する。すると、アスパラ４６はホッパー２３の内周面に沿ってほぼ自重により落下し、下端部２３ｂを押し拡げ包装袋４０内へ投下される。
次いで、包装袋４０を下方へ引っ張る。すると、表面生地体４１の上縁部４１aが粘着部材36から接離するとともに、裏面生地体４２はミシン目45（図6（a）参照）から破断され、支持バー１４から包装袋４０が引離される。
この物品投入装置１０では、包装袋に図６(a)に示す包装袋４０を使用したが、別タイプの包装袋４０'を使用することもできる。この包装袋４０'は、両側端に切込みが設けられているので、切込みを入れない包装袋４０より表面生地体４１'が裏面生地体４２'から容易に接離でき袋口４３'の開封が容易になる。
【手続補正９】
【補正対象書類名】明細書
【補正対象項目名】００２６
【補正方法】変更
【補正の内容】
【００２６】
このような長尺野菜の包装袋への投入に最適な物品投入装置を以下に説明する。図７は本発明の物品投入装置の第２の実施形態を示す斜視図である。
この物品投入装置５０は、前記物品投入装置１０に誘導補助機構６０を付設したものである。したがって、説明を簡略化するために、前記物品投入装置１０と共通する部分の説明は省略し異なる構成について説明する。
誘導補助機構６０は、ほぼ円錐筒状をなした長尺案内部材７０と、この案内部材を垂直方向に上下動させる移動機構８０とからなる。
長尺案内部材７０は、合成樹脂等で形成され、長尺包装袋４０のほぼ半分乃至それ以上の長さと、外周がリング枠２１の内径より若干短く、リング枠２１内をスムーズに通り抜け可能な径を有し、所定長さの筒状体７１と、この筒状体７１から下方へ延びた円錐体７２とからなる。
円錐体７２は、筒状体７１の長さに比べて３倍乃至それ以上長く下方へ延び、円錐面には複数の切込みを入れることによって形成される複数のガイド片７２a〜７２xが設けられる。これらのガイド片７２a〜７２xは、その先端部は自由端となっている。
【手続補正１０】
【補正対象書類名】明細書
【補正対象項目名】００２７
【補正方法】変更
【補正の内容】
【００２７】
また、移動機構８０は、下端の表面８１aを筒状体７１の外壁に固定し裏面にギヤ歯８１bを設けた移動片８１と、このギヤ歯８１bと係合するギヤ歯８２aを有し支持体８３により支持枠体１３に取付けた歯車８２と、移動片８１を袋口開封手段３０と連動して上下方向へ移動させる移動手段（図示省略）とからなる。
なお、移動手段は、移動片８１を袋口開封手段３０と連動して上下動させるものであるが、これは公知の手段を使用するので、その説明を省略する。
前記のように誘導補助機構６０は長尺案内部材７０と移動機構８０とで構成されるが、誘導補助機構６０は、長尺案内部材７０のガイド片７２a〜７２xの自由端である先端部を予め纏め、移動機構８０を操作することによってリング枠２０内に挿入して置く。
【手続補正１１】
【補正対象書類名】明細書
【補正対象項目名】００２８
【補正方法】変更
【補正の内容】
【００２８】
この物品投入装置５０を用い、長尺被包装物を包装袋へ袋詰めする手順を説明する。図８は図７の物品投入装置の側面図、図９は図８の側面図をもとに長尺被包装物を包装袋へ袋詰する工程を示す説明図である。
先ず、支持枠体１３の支持バー１４に複数枚の包装袋４０を吊下し、袋口開封手段３０により、袋口４３を開封し、ホッパー２３の下端部２３bを袋口４３内に挿入させる。この操作は、前記物品投入装置１０における開封・挿入操作（図５（a）〜（c））と同じであるので、詳細説明は省略する。図８、図９（a）は、図５（a）〜（c））と同様にホッパー２３の下端部２３bが袋口４３内に挿入された状態を示している。
ホッパー２３の下端部２３bが袋口４３内に挿入された後に、図９（b）（c）に示すように、移動機構８０を操作し、長尺案内部材７０を降下させ、各ガイド片７２a〜７２xの先端部でホッパー２３の先端部２３bを拡開させて、長尺案内部材７０を包装袋４０内へほぼ半分近くまで挿入する。このとき、各ガイド片７２a〜７２xの先端部は、自由端となっているが、各ガイド片７２a〜７２xの先端部が予めホッパー２３内に挿入されているので、これらのガイド片はホッパー２３にガイドされて包装袋４０内へスムーズに挿入される。
次いで、長尺被包装物９０、例えば長ネギを長尺案内部材７０内へ投入する。すると、長ネギは、長尺案内部材７０の各ガイド片７２a〜７２xを押し拡げ包装袋４０内へ投入される。続いて、包装袋４０を下方へ引っ張って支持バー１４から包装袋４０を引離す。（図９（e）、（f））。
この長尺案内部材７０及び長尺被包装物９０の投入の際、投入が進むに従い袋４０内に空気が封じ込まれこれらが投入の障害となるが、各ガイド片７２a〜７２xの間にスリット（隙間）が形成されているので、袋内に溜まった空気はこの隙間から袋口を通り外へ放出され投入がスムーズになる。
包装袋は、別タイプの包装袋４０'をも使用することができる。
【手続補正１２】
【補正対象書類名】明細書
【補正対象項目名】図面の簡単な説明
【補正方法】変更
【補正の内容】
【図面の簡単な説明】
【図１】
本発明の物品投入装置の第１の実施形態を示す外観斜視図。
【図２】
図１の物品投入装置の正面図。
【図３】
図１の物品投入装置の側面図。
【図４】
図１の筒状網体を示す外観斜視図。
【図５】
図３の側面図をもとに包装袋へ長尺被包装物の袋詰め作業を説明する説明図。
【図６】
物品投入装置に好適な包装袋の正面図。
【図７】
本発明の物品投入装置の第２の実施形態を示す斜視図。
【図８】
図８は図７の物品投入装置の側面図。
【図９】
図８の側面図をもとに長尺被包装物を包装袋へ袋詰め作業を説明する説明図。
【符号の説明】
１０、５０  物品投入装置
１１  基台
１２  支柱
１３  支持枠体
１４  支持バー
２０  誘導具
２１  リング枠
２２  基部
２３  ホッパー
２３'  筒状網体
２３b  ホッパー下端部
３０  袋口開封手段
３３  貼着手段
３４  ロール支柱体
４０、４０'  包装袋
４３、４３'袋口